(57)【特許請求の範囲】
【請求項１】
方法であって、
第２の端末によって生成されるデジタルオブジェクト識別子を第１の端末によってスキャンすることであって、前記デジタルオブジェクト識別子は、記入されるフォームの運用ソース識別子及び前記第２の端末に入力される１つまたは複数の情報アイテムを含む、前記スキャンすること、
前記運用ソース識別子及び入力される前記１つまたは複数の情報アイテムを、前記デジタルオブジェクト識別子から前記第１の端末によって取得すること、
入力される前記１つまたは複数の情報アイテムに対応する１つまたは複数の情報コンテンツを、前記１つまたは複数の情報アイテムと前記１つまたは複数の情報コンテンツとの間の予め記憶された対応関係から、前記第１の端末によって取得すること、及び、
入力される前記１つまたは複数の情報アイテムに対応する前記１つまたは複数の情報コンテンツ及び前記運用ソース識別子を第１のサーバに前記第１の端末によって送信することであって、それにより、前記第２の端末が、前記フォームに記入するため、前記運用ソース識別子に少なくとも部分的に基づいて、入力される前記１つまたは複数の情報アイテムに対応する前記１つまたは複数の情報コンテンツを前記第１のサーバから取得する、送信することを含む、前記方法。
【請求項２】
前記第１のサーバは、フォーム情報を入力するためにセットアップされた専用サーバを備える、請求項１に記載の方法。
【請求項３】
前記デジタルオブジェクト識別子は、入力される前記１つまたは複数の情報アイテムのそれぞれの１つまたは複数の情報属性を更に含み、方法は、
前記それぞれの１つまたは複数の情報属性を前記デジタルオブジェクト識別子から前記第１の端末によって取得すること、及び、
入力される前記１つまたは複数の情報アイテムに対応する前記１つまたは複数の情報コンテンツが前記それぞれの１つまたは複数の情報属性に適合するかどうかを判定することを更に含む、請求項１に記載の方法。
【請求項４】
入力される前記１つまたは複数の情報アイテムに対応する前記１つまたは複数の情報コンテンツの少なくとも１つの情報コンテンツが前記それぞれの１つまたは複数の情報属性の対応する１つの情報属性に適合しないと判定することに応答して、自動フォーマット調整を前記第１の端末によって実施すること、または、手動修正を実施するようユーザに促すことを更に含む、請求項３に記載の方法。
【請求項５】
入力される前記１つまたは複数の情報アイテムに対応する前記１つまたは複数の情報コンテンツの各情報コンテンツが前記それぞれの１つまたは複数の情報属性の対応する１つの情報属性に適合すると判定することに応答して、入力される前記１つまたは複数の情報アイテムに対応する前記１つまたは複数の情報コンテンツ及び前記運用ソース識別子を前記第１のサーバに前記第１の端末によって送信することを更に含む、請求項４に記載の方法。
【請求項６】
入力される前記１つまたは複数の情報アイテムに対応する前記１つまたは複数の情報コンテンツを前記第１のサーバに送信する前にユーザの命令に少なくとも部分的に基づいて、入力される前記１つまたは複数の情報アイテムに対応する前記１つまたは複数の情報コンテンツの少なくとも１つの情報コンテンツを前記第１の端末によって修正することを更に含む、請求項１に記載の方法。
【請求項７】
前記第１の端末の付属デバイスを介して、入力される前記１つまたは複数の情報アイテムに対応する前記１つまたは複数の情報コンテンツを前記第１の端末によって取得することを更に含む、請求項１に記載の方法。
【請求項８】
前記付属デバイスは、全地球測位システム（ＧＰＳ）デバイス、加入者識別モジュール（ＳＩＭ）カード、レコーダ、ジャイロスコープ、またはカメラのうちの少なくとも１つを備える、請求項７に記載の方法。
【請求項９】
前記運用ソース識別子は、記入される前記フォームを識別するために使用され、記入される前記フォームは、前記１つまたは複数の情報アイテムが属するフォームを含む、請求項１に記載の方法。
【請求項１０】
実行可能命令を記憶する１つまたは複数のコンピュータ可読媒体であって、前記実行可能命令は、第１の端末によって実行されると、行為であって、
第２の端末によって生成されるデジタルオブジェクト識別子をスキャンすることであって、前記デジタルオブジェクト識別子は、記入されるフォームの運用ソース識別子及び前記第２の端末に入力される１つまたは複数の情報アイテムを含む、前記スキャンすること、
前記運用ソース識別子及び入力される前記１つまたは複数の情報アイテムを、前記デジタルオブジェクト識別子から前記第１の端末によって取得すること、
入力される前記１つまたは複数の情報アイテムに対応する１つまたは複数の情報コンテンツを、入力される前記１つまたは複数の情報アイテムと前記１つまたは複数の情報コンテンツとの間の予め記憶された対応関係から取得すること、及び、
入力される前記１つまたは複数の情報アイテムに対応する前記１つまたは複数の情報コンテンツ及び前記運用ソース識別子を第１のサーバに前記第１の端末によって送信することであって、それにより、前記第２の端末が、前記フォームに記入するため、前記運用ソース識別子に少なくとも部分的に基づいて、入力される前記１つまたは複数の情報アイテムに対応する前記１つまたは複数の情報コンテンツを前記第１のサーバから取得する、前記送信することを含む、行為を前記第１の端末に実施させる、前記１つまたは複数のコンピュータ可読媒体。
【請求項１１】
前記デジタルオブジェクト識別子は、入力される前記１つまたは複数の情報アイテムのそれぞれの１つまたは複数の情報属性を更に含み、前記行為は、
前記それぞれの１つまたは複数の情報属性を前記デジタルオブジェクト識別子から取得すること、及び、
入力される前記１つまたは複数の情報アイテムに対応する前記１つまたは複数の情報コンテンツが前記それぞれの１つまたは複数の情報属性に適合するかどうかを判定することを更に含む、請求項１０に記載の１つまたは複数のコンピュータ可読媒体。
【請求項１２】
前記行為は、入力される前記１つまたは複数の情報アイテムに対応する前記１つまたは複数の情報コンテンツの少なくとも１つの情報コンテンツが前記それぞれの１つまたは複数の情報属性の対応する１つの情報属性に適合しないと判定することに応答して、自動フォーマット調整を実施すること、または、手動修正を実施するようユーザに促すことを更に含む、請求項１１に記載の１つまたは複数のコンピュータ可読媒体。
【請求項１３】
前記行為は、入力される前記１つまたは複数の情報アイテムに対応する前記１つまたは複数の情報コンテンツの各情報コンテンツが前記それぞれの１つまたは複数の情報属性の対応する１つの情報属性に適合すると判定することに応答して、入力される前記１つまたは複数の情報アイテムに対応する前記１つまたは複数の情報コンテンツ及び前記運用ソース識別子を前記第１のサーバに送信することを更に含む、請求項１２に記載の１つまたは複数のコンピュータ可読媒体。
【請求項１４】
前記行為は、入力される前記１つまたは複数の情報アイテムに対応する前記１つまたは複数の情報コンテンツを前記第１のサーバに送信する前にユーザの命令に少なくとも部分的に基づいて、入力される前記１つまたは複数の情報アイテムに対応する前記１つまたは複数の情報コンテンツの少なくとも１つの情報コンテンツを修正することを更に含む、請求項１０に記載の１つまたは複数のコンピュータ可読媒体。
【請求項１５】
前記行為は、前記第１の端末の付属デバイスを介して、入力される前記１つまたは複数の情報アイテムに対応する前記１つまたは複数の情報コンテンツを取得することを更に含み、前記付属デバイスは、全地球測位システム（ＧＰＳ）デバイス、加入者識別モジュール（ＳＩＭ）カード、レコーダ、ジャイロスコープ、またはカメラのうちの少なくとも１つを備える、請求項１０に記載の１つまたは複数のコンピュータ可読媒体。
【請求項１６】
システムであって、
１つまたは複数のプロセッサと、
メモリと、
デジタルオブジェクト識別子を生成するための、前記メモリに記憶され前記１つまたは複数のプロセッサによって実行可能な生成ユニットとを備え、前記デジタルオブジェクト識別子は、記入されるフォームの運用ソース識別子及びシステムに入力される１つまたは複数の情報アイテムを含み、前記デジタルオブジェクト識別子は、システムと異なる第１の端末が、前記デジタルオブジェクト識別子をスキャンすること、入力される前記１つまたは複数の情報アイテムに対応する１つまたは複数の情報コンテンツを、入力される前記１つまたは複数の情報アイテムと前記１つまたは複数の情報コンテンツとの間の予め記憶された対応関係から及び／または前記第１の端末の付属デバイスを介して取得すること、及び、入力される前記１つまたは複数の情報アイテムに対応する前記１つまたは複数の情報コンテンツ及び前記運用ソース識別子を第１のサーバに送信することを可能にし、
記入される前記フォームを完成させるため、前記運用ソース識別子に少なくとも部分的に基づいて、入力される前記１つまたは複数の情報アイテムに対応する前記１つまたは複数の情報コンテンツを前記第１のサーバから取得するための、前記メモリに記憶され前記１つまたは複数のプロセッサによって実行可能な記入ユニットを備える、前記システム。
【請求項１７】
前記記入ユニットは、入力される前記１つまたは複数の情報アイテムに対応する前記１つまたは複数の情報コンテンツが取得されるまで、前記運用ソース識別子に基づいて、入力される前記１つまたは複数の情報アイテムに対応する前記１つまたは複数の情報コンテンツを前記第１のサーバから周期的に取得しようと試みるように更に構成される、請求項１６に記載のシステム。
【請求項１８】
前記記入ユニットが、記入される前記フォームを完成させた後に後続の運用を実施するため、入力される前記１つまたは複数の情報アイテムに対応する前記１つまたは複数の情報コンテンツを第２のサーバに提出するための提出ユニットを更に備える、請求項１６に記載のシステム。
【請求項１９】
前記提出ユニットが、入力される前記１つまたは複数の情報アイテムに対応する前記１つまたは複数の情報コンテンツを前記第２のサーバに提出する前にユーザの命令に従って、入力される前記１つまたは複数の情報アイテムに対応する前記１つまたは複数の情報コンテンツの少なくとも１つの情報コンテンツを修正するための第２の修正ユニットを更に備える、請求項１８に記載のシステム。
【請求項２０】
前記運用ソース識別子は、記入される前記フォームを識別するために使用され、記入される前記フォームは、入力される前記１つまたは複数の情報アイテムが属するフォームを含む、請求項１６に記載のシステム。
【発明の詳細な説明】
【技術分野】
【０００１】
［関連特許出願に対する相互参照］
本出願は、参照によりその全体が組込まれる、「Ｆｏｒｍ  Ｆｉｌｌｉｎｇ  Ｍｅｔｈｏｄ  ａｎｄ  Ｒｅｌａｔｅｄ  Ｔｅｒｍｉｎａｌ」という名称の、２０１４年８月１４日に出願された中国特許出願第２０１４１０４００２９９．Ｘ号に対する優先権を主張する。
【０００２】
本開示は、情報処理の分野に関し、より詳細には、フォーム記入方法及び関連する端末に関する。
【背景技術】
【０００３】
幾つかのアプリケーションシナリオにおいて、ユーザは提供される対応するサービスを注文するためにフォームに記入することを要求される。例えば、登録またはログイン等の認証サービスがユーザに提供されるとき、ユーザは、アイデンティティ情報をフォームに入力することを要求される。関連する生活サービスがユーザに提供されるとき、ユーザは、ユーザのアドレス情報をフォームに入力することを要求される。
【０００４】
フォーム記入の従来のアプローチは、ユーザによって手作業でフォームに情報を入力することである。しかしながら、このアプローチは、複雑なユーザ操作をもたらすだけでなく、間違いを起こしやすい。したがって、幾つかの既存のウェブサイトまたはアプリケーションは、フォーム情報を自動的に記憶する機能を提供する。例えば、ユーザが初めてアイデンティティ確認を実施するとき、ユーザによって入力されるアイデンティティ情報が記憶される。ユーザが次にアイデンティティ確認を実施するとき、フォームは、記憶済みアイデンティティ情報に従って記入されて、自動確認を実装する。
【０００５】
フォーム情報を自動的に記憶するこのアプローチの場合、フォーム情報は、対応するサービスを最終的に提供する端末に記憶される必要があり、したがって、低セキュリティをもたらし、特に公共端末においてほぼ使用不能である。更に、このアプローチは、多様性が低く、幾つかの異なるアプリケーションシナリオに適用可能でない。例えば、ユーザが、或るウェブサイトまたはアプリケーションに初めてログインする、または、或る端末を使用して、初めてフォームに記入するとき、フォームは、こうしたアプローチを使用して記入されない可能性がある。
【発明の概要】
【課題を解決するための手段】
【０００６】
この要約は、以下で詳細な説明において更に述べられる簡略化された形態の概念の選択を導入するために提供される。この要約は、特許請求される主題の全ての重要な特徴または本質的な特徴を特定することを意図されないし、特許請求される主題の範囲を決定するときの補助として単独で使用されることも意図されない。例えば、「技法（ｔｅｃｈｎｉｑｕｅｓ）」という用語は、上記文脈によってまた本開示全体を通して許可されるように、デバイス（複数可）、システム（複数可）、方法（複数可）、及び／またはコンピュータ可読命令（複数可）を指してもよい。
【０００７】
本開示によって解決される技術的問題は、異なるシナリオの下で自動フォーム記入を実装し、多様性及びセキュリティを改善するためのフォーム記入方法及び関連する端末を提供することである。
【０００８】
したがって、技術的問題を解決するための本開示の技術的解決策が以下で示される。
【０００９】
本開示の一実施形態において、フォーム記入方法が提供され、フォーム記入方法は、第２の端末によって生成されるデジタルオブジェクト識別子を第１の端末がスキャンすることであって、デジタルオブジェクト識別子は、記入されるフォームの運用ソース識別子及びユーザによって第２の端末に記入される情報アイテムを含む、スキャンすること、運用ソース識別子及び記入されるアイテムを、デジタルオブジェクト識別子から第１の端末が取得すること、記入されるアイテムに対応する情報コンテンツを、情報アイテムと情報コンテンツとの間の予め記憶された対応関係から、及び／または、第１の端末の付属デバイスを通して、第１の端末が取得すること、及び、記入される情報アイテムに対応する情報コンテンツ及び運用ソース識別子を第１のサーバに第１の端末が送信することであって、それにより、第２の端末が、フォームに記入するため、運用ソース識別子に基づいて、記入されるアイテムに対応する情報コンテンツを第１のサーバから取得することを可能にする、送信することを含む。
【００１０】
任意選択で、第１のサーバは、フォーム情報を入力するように構成される指定サーバである。
【００１１】
任意選択で、デジタルオブジェクト識別子は、記入されるアイテムの情報属性を更に含む。方法は、情報属性をデジタルオブジェクト識別子から第１の端末が取得すること、記入されるアイテムに対応する情報コンテンツが情報属性に適合するかどうかを第１の端末が判定すること、適合しない場合、自動フォーマット調整を実施すること、または、手動修正を実施するようユーザに促すこと、及び、適合が取得されるまで、記入されるアイテムに対応する情報コンテンツ及び運用ソース識別子を第１のサーバに送信することを更に含んでもよい。
【００１２】
任意選択で、方法は、記入されるアイテムに対応する情報コンテンツを第１のサーバに送信する前にユーザの命令に従って、記入されるアイテムに対応する情報コンテンツを第１の端末が修正することを更に含んでもよい。
【００１３】
任意選択で、付属デバイスは、全地球測位システム（ＧＰＳ：Ｇｌｏｂａｌ  Ｐｏｓｉｔｉｏｎｉｎｇ  Ｓｙｓｔｅｍ）デバイス、加入者識別モジュール（ＳＩＭ：ｓｕｂｓｃｒｉｂｅｒ  ｉｄｅｎｔｉｔｙ  ｍｏｄｕｌｅ）カード、レコーダ、ジャイロスコープ、またはカメラのうちの少なくとも１つを含む。
【００１４】
任意選択で、運用ソース識別子は、記入されるフォームを識別するために使用され、記入されるフォームは、記入されるアイテムが属するフォームである。
【００１５】
本開示の一実施形態は、フォーム記入方法を更に提供し、フォーム記入方法は、デジタルオブジェクト識別子であって、記入されるフォームの運用ソース識別子及び第２の端末上でユーザによって記入されるアイテムを含む、デジタルオブジェクト識別子を第２の端末が生成することであって、それにより、第１の端末が、デジタルオブジェクト識別子をスキャンし、情報アイテムと情報コンテンツとの間の予め記憶された対応関係から、及び／または、第１の端末の付属デバイスを通して、記入されるアイテムに対応する情報コンテンツを取得し、記入されるアイテムに対応する情報コンテンツ及び運用ソース識別子を第１のサーバに送信することを可能にする、第２の端末が生成すること、及び、フォームに記入するため、運用ソース識別子に基づいて、記入されるアイテムに対応する情報コンテンツを第１のサーバから第２の端末が取得することを含む。
【００１６】
任意選択で、第１のサーバは、フォーム情報を記入するために設けられる指定サーバである。
【００１７】
任意選択で、運用ソース識別子に基づいて、記入されるアイテムに対応する情報コンテンツを第１のサーバから第２の端末が取得することは、記入されるアイテムに対応する情報コンテンツが取得されるまで、運用ソース識別子に基づいて、記入されるアイテムに対応する情報コンテンツを第１のサーバから第２の端末が取得することを第２の端末が再帰的に実施することを含む。
【００１８】
任意選択で、方法は、フォームに記入した後に後続の操作を実施するため、記入されるアイテムに対応する情報コンテンツを第２のサーバに第２の端末が提出することを更に含んでもよい。
【００１９】
任意選択で、方法は、記入されるアイテムに対応する情報コンテンツを第２のサーバに提出する前にユーザの命令に従って、記入されるアイテムに対応する情報コンテンツを第２の端末が修正することを更に含んでもよい。
【００２０】
任意選択で、運用ソース識別子は、記入されるフォームを識別するために使用され、記入されるフォームは、記入されるアイテムが属するフォームである。
【００２１】
本開示の一実施形態は、フォーム記入端末を更に提供し、端末は第１の端末である。第１の端末は、スキャン済みデジタルオブジェクト識別子から、記入されるフォームの運用ソース識別子及び第２の端末上でユーザによって記入されるアイテムを取得するための第１の採取ユニットであって、デジタルオブジェクト識別子は第２の端末によって生成されるデジタルオブジェクト識別子である、第１の採取ユニットと、情報アイテムと情報コンテンツとの間の予め記憶された対応関係から、及び／または、第１の端末の付属デバイスを通して、記入されるアイテムに対応する情報コンテンツを取得するための第２の採取ユニットと、記入されるアイテムに対応する情報コンテンツ及び運用ソース識別子を第１のサーバに送信するための送信ユニットであって、それにより、第２の端末が、フォームに記入するため、運用ソース識別子に基づいて、記入されるアイテムに対応する情報コンテンツを第１のサーバから取得することを可能にする、送信ユニットとを含む。
【００２２】
任意選択で、第１のサーバは、フォーム情報を記入するために設けられる専用サーバである。
【００２３】
任意選択で、デジタルオブジェクト識別子は、記入されるアイテムの情報属性を更に含んでもよい。
【００２４】
一実施形態において、第１の採取ユニットは、デジタルオブジェクト識別子から情報属性を更に取得してもよい。
【００２５】
一実施形態において、第１の端末は、適合ユニットを更に含んでもよく、適合ユニットは、記入されるアイテムに対応する情報コンテンツが情報属性に適合するかどうかを判定し、適合しない場合、自動フォーマット調整を実施するかまたは手動修正を行うようユーザに促し、成功裡に適合すると、記入されるアイテムに対応する情報コンテンツ及び運用ソース識別子を第１のサーバに送信するよう送信ユニットに通知するためのものである。
【００２６】
任意選択で、第１の端末は、記入されるアイテムに対応する情報コンテンツを送信ユニットが第１のサーバに送信する前に、ユーザの命令に従って、記入されるアイテムに対応する情報コンテンツを修正するための第１の修正ユニットを更に含んでもよい。
【００２７】
任意選択で、付属デバイスは、ＧＰＳデバイス、ＳＩＭカード、レコーダ、ジャイロスコープ、及びカメラの１つまたは複数を含んでもよい。
【００２８】
任意選択で、運用ソース識別子は、記入されるフォームを識別するために使用され、記入されるフォームは、記入されるアイテムが属するフォームである。
【００２９】
本開示の一実施形態は、フォーム記入端末を更に提供し、端末は第２の端末である。第２の端末は、記入されるフォームの運用ソース識別子及び第２の端末上でユーザによって記入されるアイテムを含むデジタルオブジェクト識別子を生成するための生成ユニットであって、それにより、第１の端末が、デジタルオブジェクト識別子をスキャンし、情報アイテムと情報コンテンツとの間の予め記憶された対応関係から、及び／または、第１の端末の付属デバイスを通して、記入されるアイテムに対応する情報コンテンツを取得し、記入されるアイテムに対応する情報コンテンツ及び運用ソース識別子を第１のサーバに送信することを可能にする、生成ユニットと、フォームに記入するため、運用ソース識別子に基づいて、第１のサーバから記入されるアイテムに対応する情報コンテンツを取得するための記入ユニットとを含む。
【００３０】
任意選択で、第１のサーバは、フォーム情報を記入するために設けられる専用サーバである。
【００３１】
任意選択で、記入ユニットは、記入されるアイテムに対応する情報コンテンツが取得されるまで、運用ソース識別子に基づいて、記入されるアイテムに対応する情報コンテンツを第１のサーバから第２の端末が取得することを第２の端末が再帰的に実施する。
【００３２】
任意選択で、第２の端末は、記入ユニットがフォームに記入した後に後続の操作を実施するため、記入されるアイテムに対応する情報コンテンツを第２のサーバに提出するための提出ユニットを更に含んでもよい。
【００３３】
任意選択で、第２の端末は、提出ユニットが、記入されるアイテムに対応する情報コンテンツを第２のサーバに提出する前にユーザの命令に従って、記入されるアイテムに対応する情報コンテンツを修正するための第２の修正ユニットを更に含んでもよい
【００３４】
任意選択で、運用ソース識別子は、記入されるフォームを識別するために使用され、記入されるフォームは、記入されるアイテムが属するフォームである。
【００３５】
先の技術的解決策から見てわかるように、本開示の実施形態において、ユーザが第２の端末上でフォームに記入したいと思うとき、第２の端末は、記入されるフォームの運用ソース識別子及び第２の端末を介してユーザによって記入されるアイテムを含むデジタルオブジェクト識別子を生成する。第１の端末は、デジタルオブジェクト識別子内に含まる情報を取得するためデジタルオブジェクト識別子をスキャンし、情報アイテムと情報コンテンツとの間の予め記憶された対応関係から及び／または付属デバイスを通して、記入されるアイテムに対応する情報コンテンツを取得し、記入されるアイテムに対応する情報コンテンツ及び運用ソース識別子を第１のサーバに送信して、第２の端末が、フォームの記入を完成させるため、運用ソース識別子に基づいて、記入されるアイテムに対応する情報コンテンツを第１のサーバから取得する必要があるだけである。見てわかるように、本開示の実施形態において、ユーザのフォームの情報は、第２の端末に記憶される必要はなく、したがって、セキュリティを改善し、第２の端末が公共端末でも影響を受けない。更に、本開示の実施形態において、第２の端末は、記入されるアイテムがどのように変更されようとも、記憶済み対応関係に基づいて及び／または付属デバイスを通して、記入されるアイテムに対応する情報コンテンツを取得し、したがって、幾つかの異なるアプリケーションシナリオに適用可能であってよい。例えば、フォーム情報を完成させることは、ユーザが、或るウェブサイトまたはアプリケーションに初めてログインするまたは第２の端末を初めて使用する場合でも、自動的に実施される可能性がある。
【図面の簡単な説明】
【００３６】
【図１】本開示の実施形態による例示的な方法のフローチャートである。
【図２】本開示の実施形態による別の例示的な方法のフローチャートである。
【図３】本開示の実施形態による更に別の例示的な方法のフローチャートである。
【図４】本開示の実施形態による例示的な端末の略構造図である。
【図５】本開示の実施形態による例示的な端末の略構造図である。
【発明を実施するための形態】
【００３７】
幾つかのアプリケーションシナリオの下で、ユーザは、提供される対応するサービスを注文するためにフォームに情報を入力することを必要とされる。例えば、登録またはアイデンティティ認証サービスがユーザに提供されるとき、ユーザは、アイデンティティ情報をフォームに入力する必要がある。関連する生活サービスがユーザに提供される（例えば、ユーザが住むアドレスにおける天候または周囲ショップ情報に関連する情報が提供される）とき、ユーザは、ユーザアドレス情報をフォームに入力する必要がある。
【００３８】
比較的従来的なフォーム記入アプローチは、ユーザによって手作業でフォームに記入することである。したがって、現在は、幾つかのウェブサイトまたはアプリケーションは、最近、フォーム情報を自動的に記憶する機能を提供する。例えば、ユーザがアイデンティティ認証を初めて実施するとき、ユーザによって完成されるアイデンティティ情報が記憶される。ユーザが次にアイデンティティ認証を実施すると、フォーム情報は、記憶済みアイデンティティ情報に基づいて記入され、したがって、自動認証を実装する。
【００３９】
フォーム情報を自動記憶するこうした方法の場合、フォーム情報は、対応するサービスを最終的に提供する端末上に記憶される必要がある。例えば、ユーザが端末Ａを使用して、アイデンティティ認証を実施するとき、アイデンティティ情報は、端末Ａに相応して記憶される。他のユーザは、端末Ａを使用するとき、アイデンティティ認証で使用されるユーザのアイデンティティ情報を容易に発見する場合があり、したがって、低セキュリティをもたらし、また、特に公共端末においてほぼ使用不能である。更に、このタイプのアプローチは、多様性が低く、幾つかの異なるアプリケーションシナリオに適用可能でない。例えば、ユーザが、アイデンティティ認証を初めて実施する、または、フォームを完成するため或る端末を初めて使用するとき、端末は、ユーザのフォーム情報の記憶を持たず、したがって、フォーム記入は、このタイプのアプローチによって達成される可能性がない。
【００４０】
フォーム情報を自動記憶するアプローチに加えて、サーバ内にユーザのフォーム情報を記憶する別のフォーム記入アプローチが存在する。しかしながら、サーバが複数のユーザのフォーム情報を記憶するため、各ユーザは、操作中に各ユーザの識別情報を依然として入力する必要があり、したがって、完全に自動の記入を実装することができない。更に、このアプローチは、サーバ内に多量のデータを記憶する必要があり、そのことが、サーバに負担をかける。
【００４１】
本開示の実施形態は、フォーム記入方法及び関連する端末を提供して、異なるシナリオの下でのフォームの自動記入を実装し、したがって、多様性及びセキュリティを改善する。
【００４２】
本開示の実施形態の技術的解決策は、本開示の実施形態の添付図面を参照して、本明細書で明確にかつ包括的に述べられる。明らかに、述べる実施形態は、本開示の実施形態の全てではないが一部を表すに過ぎない。創造的努力を全く行うことなく、本開示の実施形態に基づいて当業者が取得する全ての他の実施形態は、本開示の保護の範囲内に入る。
【００４３】
図１を参照すると、本開示の実施形態は、例示的なフォーム記入方法を提供する。この例示的な方法において、実行エンティティは第１の端末である。
【００４４】
例示的な方法は、以下を含んでもよい：
【００４５】
Ｓ１０１にて、第１の端末は、第２の端末によって生成されるデジタルオブジェクト識別子をスキャンする。デジタルオブジェクト識別子は、記入されるフォームの運用ソース識別子及び第２の端末においてユーザによって記入されるアイテム（複数可）を含んでもよい。
【００４６】
ユーザが第２の端末においてフォームに記入する必要があるとき、第２の端末は、第１の端末によってスキャンされるデジタルオブジェクト識別子を生成する。第１の端末は、単一ユーザだけに対応し、したがって、程度の高いプライバシーを有する。例えば、第１の端末は、モバイルフォンまたはＰＡＤ等のモバイル端末であってよい、または、ユーザのパーソナルコンピュータであってよい。第２の端末に制限は全く課されず、第２の端末は、一般に公共端末であってよい。
【００４７】
デジタルオブジェクト識別子は、インターネット情報を含むデジタル情報を識別するために使用されてもよく、また、例えば、２次元コード、バーコード等を含んでもよい。デジタルオブジェクト識別子をスキャンするとき、第１の端末は、第２の端末のスクリーン上に表示されるデジタルオブジェクト識別子を直接スキャンしてもよい。第１の端末が容易に移動されない場合があるシナリオにおいて、第２の端末はデジタルオブジェクト識別子を印刷出力してもよく、また、第１の端末は、その後、印刷済みデジタルオブジェクト識別子をスキャンしてもよい。
【００４８】
第２の端末においてユーザによって記入されるフォームの運用ソース識別子は、そのときに記入される必要があるフォームを識別してもよく、また、記入されるフォームは、入力されるアイテム（複数可）が属するフォームを指す。運用ソース識別子は、フォームに基づいて生成されてもよく、そのフォームは、この場合、複数のユーザが同時に複数のフォームに記入することを可能にしてもよい。例えば、複数のページが、第２の端末において同時に開いてもよく、各ページは記入されるフォームに対応する。各ページ上で記入されるフォームの各運用ソース識別子は、各ページのセッション識別子に基づいて生成され、したがって、各運用ソース識別子は特定のフォームに対応する。運用ソース識別子は、同様に、固定識別子であり、固定識別子は、この場合、特定のシナリオの要件（例えば、デジタルオブジェクト識別子が印刷された後に、デジタルオブジェクト識別子内の運用ソース識別子は、一般に、常に利用可能である状態にある必要がある）を満たしてもよい。例えば、運用ソース識別子は、第２の端末の端末識別子（インターネットプロトコル（ＩＰ）アドレス、メディアアクセス制御（ＭＡＣ）アドレス等）を含んでもよい、または、ランダムに生成され、プリセット長を満たすユニークな識別子を含んでもよい。
【００４９】
入力されるアイテム（複数可）は、或るサービスを獲得するため、第２の端末の記入されるフォームにユーザが入力する必要がある情報アイテム（複数可）を指す。例えば、ユーザが第２の端末を通してユーザ登録を実施したいと思うとき、ユーザは、ユーザ名、生年月日、年齢、アドレス、モバイルフォン番号、及びヘッドショット等のような情報アイテムを第２の端末のフォームに入力する必要がある。
【００５０】
Ｓ１０２にて、第１の端末は、運用ソース識別子及び入力されるアイテム（複数可）をデジタルオブジェクト識別子から採取する。
【００５１】
第１の端末は、デジタルオブジェクト識別子をデコードすることによってデジタルオブジェクト識別子に含まれる情報を採取してもよい。第１の端末のデコーディング方法は、デジタルオブジェクト識別子を生成するための第２の端末のエンコーディング方法に対応する。例えば、第２の端末が、迅速応答（ＱＲ：ｑｕｉｃｋ  ｒｅｓｐｏｎｓｅ）エンコーディングルールに従ってデジタルオブジェクト識別子を生成する場合、第１の端末は、この方法ブロックにてＱＲデコーディングルールに従ってデコーディングを実施してもよい。
【００５２】
Ｓ１０３にて、第１の端末は、記入されるアイテム（複数可）に対応する情報コンテンツ（複数可）を、情報アイテム（複数可）と情報コンテンツ（複数可）との間の予め記憶された対応関係から、及び／または、第１の端末の付属デバイスを通して採取する。
【００５３】
本開示の一実施形態において、第１の端末は、少なくとも２つのアプローチにおいて記入されるアイテム（複数可）に対応する情報コンテンツ（複数可）を採取する。
【００５４】
第１の採取アプローチにおいて、第１の端末は、情報アイテム（複数可）と情報コンテンツ（複数可）との間の対応関係（例えば、表１に示す）を予め記憶し、記入されるアイテム（複数可）に対応する情報コンテンツ（複数可）を、記憶された対応関係から採取する。表１は例として使用される。記入されるアイテムが名前及び年齢である場合、記憶された対応関係から採取される対応する情報コンテンツは、それぞれ「Ｚｈａｎｇ  Ｓａｎ」及び「３２」である。
【００５５】
【表１】
0006533282.tif 000002
【００５６】
第２の採取アプローチにおいて、第１の端末は、第１の端末の付属デバイスによって、記入されるアイテム（複数可）に対応する情報コンテンツ（複数可）をリアルタイムに取得してもよい。付属デバイスは、ＧＰＳデバイス、ＳＩＭカード、レコーダ、ジャイロスコープ、及びカメラの少なくとも１つを含んでもよい。モバイルフォン番号は、ＳＩＭカードを通して採取されてもよい。ユーザのヘッドショット情報として使用される画像情報は、カメラを通して採取されてもよい。音声情報、例えば、音声制御コマンドまたは一般に使用されるアイデンティティ認識音声は、レコーダを通して記録されてもよい。水平または垂直操作習慣などのようなユーザの操作習慣は、ジャイロスコープを通して記録されてもよい。
【００５７】
記入されるアイテム（複数可）をデジタルオブジェクト識別子から取得した後、記入される各アイテムに対応する各情報コンテンツについて、第１の採取アプローチが使用されるか、第２の採取アプローチが使用されるかは、プリセット済み採取モードに従って決定されてもよい。更に、表２に示す期間等の対応する有効期間は、各情報アイテムに対応する各情報コンテンツについてセットされてもよい。一部の情報アイテムに対応する一部の情報コンテンツが、同様に、他の情報アイテム（複数可）に対応する各情報コンテンツ（複数可）に基づいて計算され取得されてもよいことが留意されるべきである。例えば、情報アイテム「年齢」に対応する各情報コンテンツは、情報アイテム「生年月日」に対応する情報コンテンツに基づいて計算され取得されてもよい。
【００５８】
【表２】
0006533282.tif 000003
【００５９】
予め記憶された対応関係及び／または付属デバイスを通して情報コンテンツ（複数可）を取得することによって、本開示が端末によって幾つかの異なるアプリケーションシナリオにおいて適用可能であることが留意されるべきである。例えば、フォーム記入は、ログイン、登録、アイデンティティ認証、生活サービス獲得等のような任意のシナリオにおいて第１の端末を通して実施され得る。フォームに記入されるアイテム（複数可）は都度変動するが、情報コンテンツ（複数可）は、予め記憶された対応関係から選択されてもよい、及び／または、異なるフォームの記入を保証するため付属デバイスを通して採取されてもよい。
【００６０】
Ｓ１０４にて、第１の端末は、記入されるアイテム（複数可）に対応する情報コンテンツ（複数可）及び運用ソース識別子を第１のサーバに相応して送信して、第２の端末が、フォームに記入するため、運用ソース識別子に基づいて、記入されるアイテム（複数可）に対応する情報コンテンツ（複数可）を第１のサーバから採取することを可能にする。
【００６１】
第２の端末が、本開示の一実施形態において、情報コンテンツ（複数可）及び運用ソース識別子を第１のサーバから積極的に採取してもよいことが留意されるべきである。第１の端末が、記入されるアイテム（複数可）に対応する情報コンテンツ（複数可）及び運用ソース識別子を第１のサーバに送信した後、第１のサーバは、それを一時的に記憶してもよい。デジタルオブジェクト識別子を生成した後、第２の端末は、第１のサーバに記憶された先の情報が採取されるまで、第１のサーバから先の情報を周期的に採取しようと試みてもよい。第２の端末がその情報を採取した後、第１のサーバは、情報漏洩を回避するためその情報を削除してもよい。
【００６２】
本開示の一実施形態において、第２の端末は、最後に、フォームに記入するため、記入されるアイテム（複数可）に対応する情報コンテンツ（複数可）を採取し、第２のサーバに送信して、後続の操作を実施してもよい。本開示の実施形態において述べる後続の操作が、アイデンティティ認証、ログイン、登録等のような認証操作及びサービス獲得操作（例えば、アドレス情報に基づいて生活サービスを獲得すること）を主に含むことが本明細書で留意される。
【００６３】
先の技術的解決策から見てわかるように、本開示の実施形態において、ユーザが第２の端末においてフォームに記入したいと思うとき、第２の端末は、記入されるフォームの運用ソース識別子及び第２の端末においてユーザによって記入されるアイテム（複数可）を含むデジタルオブジェクト識別子を生成する。第１の端末は、デジタルオブジェクト識別子に含まれる情報を採取するためデジタルオブジェクト識別子をスキャンする必要があるだけであり、記入されるアイテム（複数可）に対応する情報コンテンツ（複数可）を、情報アイテム（複数可）と情報コンテンツ（複数可）との間の予め記憶された対応関係から及び／または付属デバイスを通して採取し、記入されるアイテム（複数可）に対応する情報コンテンツ（複数可）及び運用ソース識別子を第１のサーバに相応して送信して、第２の端末が、フォームに記入するため、運用ソース識別子に基づいて、記入されるアイテム（複数可）に対応する情報コンテンツ（複数可）を第１のサーバから採取することを可能にする。本開示の実施形態から見てわかるように、ユーザのフォーム情報は、第２の端末に記憶される必要があるのではなく、或る程度のプライバシーを有する第１の端末に記憶され、したがって、セキュリティを改善し、第２の端末が公共端末である場合でも影響を受けない。更に、本開示の実施形態において、第２の端末は、記入されるアイテム（複数可）がどのように変更されるかによらず、記憶された対応関係に基づいてまたは付属デバイスを通して、記入されるアイテム（複数可）に対応する情報コンテンツ（複数可）を積極的に採取してもよく、したがって、幾つかの異なるアプリケーションシナリオに適用可能である。例えば、フォーム情報は、ユーザが、或るウェブサイトまたはアプリケーションに初めてログインするかまたは第２の端末を初めて使用する場合でも、先の実施形態を使用して自動的に記入され得る。
【００６４】
本開示の実施形態は、同様に、以下の利点を有する。
【００６５】
１．本開示の実施形態において、第１の端末は、ユニークなユーザ情報コンテンツを記憶するだけであり、また、ユーザ選択を実施する必要はなく、したがって、完全に自動の記入を達成する。更に、全てのユーザのフォーム情報のサーバ内への記憶は必要とされず、したがって、サーバの負担を軽減する。
【００６６】
２．本開示の実施形態は、端末によって、アイデンティティ認証、登録、ログイン、ユーザ識別、及び生活サービス等のような種々の異なるシナリオにおいて適用可能である。更に、デジタルオブジェクト識別子の多様性によって、クロスプラットフォームで、多目的で、マルチシナリオのフォーム記入が好都合に実装される可能性がある。
【００６７】
デジタルオブジェクト識別子技術は、しばしば、情報を送信するために使用される。したがって、通常の状況下で、スキャン側パーティは、被スキャン側パーティによって提供される情報を取得する。しかしながら、本開示の実施形態は、逆のアプローチをとり、被スキャン側パーティがスキャン側パーティから情報を取得し、したがって、被スキャン側パーティが自動的にフォームに記入することを達成するという従来の概念をやめる。
【００６８】
本開示の実施形態における第１のサーバは、認証及びサービス獲得に関連する後続の操作を実施するために使用されなくてもよく、また、フォーム記入のためにセットアップされた専用サーバであってよい。換言すれば、全ての第１の端末は、上述した情報を第１のサーバに送信し、第１のサーバは、それを、より高いプライバシー及びセキュリティを有する第２の端末に提供して、フォーム記入を実施する。更に、専用サーバは、第１の端末のアプリケーションと組合せて、第２の端末に自動記入サービスを提供してもよく、また、端末アプリケーションのセットの開発及び第２の端末用の記入サーバは必要とされない。第１の端末は、同様に、情報コンテンツ（複数可）を送信するときに記入される対応するアイテム（複数可）を第１のサーバに送信してもよいため、第２の端末は、記入されるアイテム（複数可）に対応する情報コンテンツ（複数可）をフォームに正確に記入することができる。代替的に、第１の端末は、同様に、第２の端末と前もって合意した記入ルールに従って、情報コンテンツ（複数可）を第１のサーバに送信してもよい。例えば、第１の端末及び第２の端末は、アイテムが記入される順序で、対応する情報コンテンツが送信されることに前もって合意する。
【００６９】
フォームに記入するとき、各情報アイテムは、一般に、或る制限、例えば、文字タイプ、長さ等のようなフォーマット制限またはアイテムが強制的であるかどうかを有し、第２の端末は、生成されるデジタルオブジェクト識別子が、記入されるアイテム（複数可）の各情報属性（複数可）を含むことを更に可能にしてもよい。情報属性は、各情報アイテムに対する制限を示す。一実施形態において、例示的な方法は、デジタルオブジェクト識別子から、記入されるアイテム（複数可）の各情報属性（複数可）を第１の端末が取得すること、記入されるアイテム（複数可）に対応する情報コンテンツ（複数可）が、記入されるアイテム（複数可）の各情報属性（複数可）に適合するかどうかを第１の端末が判定すること、適合しない場合、自動フォーマット調整を実施すること、または、手動修正を行うようユーザに促すこと、及び、情報コンテンツ（複数可）が各情報属性（複数可）に適合するまで、Ｓ１０４における第１のサーバに送信する方法ブロックを実施することを更に含んでもよい。情報コンテンツ（複数可）が各情報属性（複数可）に適合するかどうかを判定するとき、各情報属性（複数可）は、ブール表現（複数可）として分解されてもよく、情報コンテンツ（複数可）は、計算のためにブール表現内に置かれる。計算結果がネガティブである場合、これは不適合を示す。
【００７０】
本開示の一実施形態において、情報コンテンツ（複数可）を第１のサーバに送信する前に、第１の端末は、第１の端末内で情報コンテンツ（複数可）を前もって表示してもよい。ユーザは、送信される情報コンテンツ（複数可）が、誤りであるか、抜けているかをチェックしてもよい。誤りであるまたは抜けているコンテンツ（複数可）が存在する場合、記入されるアイテム（複数可）に対応する情報コンテンツ（複数可）は、ユーザの命令に従って修正され、修正済みコンテンツが第１のサーバに送信される。
【００７１】
先の実施形態において、本開示の実施形態によって提供されるフォーム記入方法は、第１の端末の見地から導入される。第２の端末の見地からの本開示の実施形態は、以降で述べられる。
【００７２】
図２を参照すると、本開示の実施形態は、フォーム記入方法の別の実施形態を提供する。
【００７３】
一実施形態において、例示的な方法は以下を含んでもよい：
【００７４】
Ｓ２０１にて、第２の端末は、デジタルオブジェクト識別子を生成する。デジタルオブジェクト識別子は、記入されるフォームの運用ソース識別子及び第２の端末上でユーザによって入力されるアイテム（複数可）を含んで、第１の端末が、デジタルオブジェクト識別子をスキャンし、情報アイテム（複数可）と情報コンテンツ（複数可）との間の予め記憶された対応関係から、及び／または、第１の端末の付属デバイスを通して、入力されるアイテム（複数可）に対応する情報コンテンツ（複数可）を取得し、入力されるアイテム（複数可）に対応する情報コンテンツ（複数可）及び運用ソース識別子を第１のサーバに相応して送信することを可能にする。
【００７５】
ユーザが第２の端末上でフォームに記入する必要があるとき、第２の端末は、第１の端末によってスキャンされるデジタルオブジェクト識別子を生成する。デジタルオブジェクト識別子は、第２の端末のディスプレイスクリーンにおいて表示され、第１の端末によってスキャンされてもよい。代替的に、デジタルオブジェクト識別子は第２の端末によって印刷出力されてもよく、また、印刷済みデジタルオブジェクト識別子は第１の端末によってスキャンされる。
【００７６】
第２の端末上でユーザによって記入されるフォームの運用ソース識別子は、そのとき記入されるフォームを識別してもよい。記入されるフォームは、記入されるアイテム（複数可）が属するフォームを指す。運用ソース識別子は、フォームに基づいて生成されてもよく、そのフォームは、この場合、複数のユーザが複数のフォームを同時に記入することを可能にする可能性がある。運用ソース識別子は、代替的に、固定識別子であってよく、固定識別子は、この場合、特定のシナリオの要件（例えば、デジタルオブジェクト識別子が印刷された後に、デジタルオブジェクト識別子内の運用ソース識別子は、一般に、常に利用可能である必要がある）を満たす可能性がある。
【００７７】
記入されるアイテム（複数可）は、或るサービスを獲得するため、第２の端末の記入されるフォームにユーザが入力する必要がある情報アイテムを指す。例えば、ユーザが第２の端末を通してユーザ登録を実施したいと思うとき、ユーザは、ユーザ名、生年月日、年齢、アドレス、モバイルフォン番号、及びヘッドショット等のような情報アイテムを第２の端末のフォームに入力する必要がある。
【００７８】
Ｓ２０２にて、第２の端末は、フォームの記入を実施するため、運用ソース識別子に基づいて、入力されるアイテム（複数可）に対応する情報コンテンツ（複数可）を第１のサーバから採取する。
【００７９】
運用ソース識別子に基づいて、記入されるアイテム（複数可）に対応する情報コンテンツ（複数可）を第１のサーバから第２の端末によって採取することは、記入されるアイテム（複数可）に対応する情報コンテンツ（複数可）が取得されるまで、運用ソース識別子に基づいて、記入されるアイテム（複数可）に対応する情報コンテンツ（複数可）を第１のサーバから第２の端末によって採取する試みを周期的に実施することを指す。
【００８０】
本開示の一実施形態において、第２の端末は、最後に、フォームの記入を完成させるため、記入されるアイテム（複数可）に対応する情報コンテンツ（複数可）を取得し、その後、記入されるアイテム（複数可）に対応する情報コンテンツ（複数可）を第２のサーバに提出して、第２のサーバが、認証操作及びサービス獲得等のような後続の操作を実施することを可能にしてもよい。
【００８１】
第２の端末が、記入されるアイテム（複数可）に対応する情報コンテンツ（複数可）を第２のサーバに提出する前に、情報コンテンツは、同様に、第２の端末上に表示されてもよい。ユーザは、記入済み情報コンテンツ（複数可）が、誤りであるか、抜けているかをチェックしてもよい。誤りであるまたは抜けている場合、記入されるアイテム（複数可）に対応する情報コンテンツ（複数可）は、ユーザの命令に従って修正され、修正済み情報コンテンツが第２のサーバに提出される。
【００８２】
一実施形態において、第１のサーバは、フォーム情報を記入するためにセットアップされた専用サーバであってよい。
【００８３】
この例示的な方法は、図１に示す方法の実施形態に対応し、したがって、比較的単純な方法で述べられる。図１に示す実施形態の関連する部分に対して参照が行われる場合がある。
【００８４】
本開示の実施形態の特定のアプリケーションシナリオは、例示的な実施態様を使用して以降で述べられる。
【００８５】
図３を参照すると、本開示の実施形態は、フォーム記入方法の別の実施形態を提供する。この実施形態において、第１の端末がモバイルフォンであり、第２の端末がデスクトップコンピュータであり、デジタルオブジェクト識別子が例証のための例として２次元コードである説明が提供される。
【００８６】
実施形態は、以下を含んでもよい：
【００８７】
Ｓ３０１にて、デスクトップコンピュータは、ユーザがメンバーシップのために登録する必要があるとき、ＱＲエンコーディングルールを通して２次元コードを生成する。２次元コードは、デスクトップコンピュータの運用ソース識別子、ユーザメンバーシップ登録のために記入されるアイテム、及び記入されるアイテムの情報属性を含む。
【００８８】
運用ソース識別子がデスクトップコンピュータのＩＰアドレスであり、記入されるアイテムが、名前、生年月日、及び場所情報を含む場合、生成される２次元コードは、以下の情報を含んでもよい：
【００８９】
｛＜名前，タイプ＝文字ストリング＆長さ＜＝８文字＞、＜生年月日，タイプ＝日付＞，＜アドレス情報，タイプ＝アドレス＞・・・｝＋ＩＰアドレス：１２７．１２７．１６８．２３０
【００９０】
Ｓ３０２にて、ユーザは、モバイルフォンを使用して、デスクトップコンピュータによって生成される２次元コードをスキャンする。２次元コードは、デスクトップコンピュータによって印刷され、近くに設置されてもよい。
【００９１】
Ｓ３０３にて、モバイルフォンは、ＱＲデコーディングルールを通して、デスクトップコンピュータの運用ソース識別子、記入されるアイテム、及び２次元コードから記入されるアイテムの情報属性を分解する。
【００９２】
Ｓ３０４にて、モバイルフォンは、記入されるアイテムに対応する情報コンテンツを、情報アイテムと情報コンテンツとの間の予め記憶された対応関係から及び／またはモバイルフォンの付属デバイスを通して採取する。
【００９３】
各情報アイテムに対応する情報コンテンツを取得する特定のアプローチは、プリセット済みの採取方法に従って決定される。記入されるアイテムが名前、生年月日、及び場所であることは、依然として例として使用される。モバイルフォンが、表２に示す対応関係を記憶する場合、情報コンテンツ、Ｚｈａｎｇ  Ｓａｎ及び１９８２−０９−０４は、対応関係から取得され、ユーザのアドレス情報はＧＰＳデバイスによって採取される。
【００９４】
Ｓ３０５にて、モバイルフォンは、記入されるアイテムに対応する情報属性をブール表現としてそれぞれ分解し、計算のために各情報コンテンツをブール表現内に置く。表現の計算結果が、いいえ、である場合、全ての表現の計算結果が、はい、になるまで、自動フォーマット調整が実施される、または、ユーザが手動調整を行うよう促される。この場合、これは、全ての情報コンテンツが各情報属性の要件を満たすことを示す。
【００９５】
Ｓ３０６にて、モバイルフォンは、記入されるアイテム、記入されるアイテムに対応する情報コンテンツ、及びデスクトップコンピュータの運用ソース識別子を、インタフェース起動要求を通して第１のサーバに提出し、第１のサーバのアドレスはモバイルフォンにおいて再構成される。
【００９６】
Ｓ３０７にて、第１のサーバは、インタフェース起動要求を受信すると、記入されるアイテム、記入されるアイテムに対応する情報コンテンツ、及びデスクトップコンピュータの運用ソース識別子を第１のサーバ内に相応して記憶する。
【００９７】
Ｓ３０８にて、デスクトップコンピュータは、入力待ち状態に入り、第１のサーバのクエリインタフェースを起動して、第１のサーバが、２次元コードを生成した後にデスクトップコンピュータの運用ソース識別子を使用して、運用ソース識別子及び記入される対応するアイテム並びに情報コンテンツを記憶したかどうかを質問し、いいえ、の場合、インタフェースの次の周期的起動を待ち続け、はい、の場合、第１のサーバに記憶された情報を取得する。そのとき、第１のサーバは、第１のサーバに記憶された情報を削除してもよい。
【００９８】
Ｓ３０９にて、デスクトップコンピュータは、第１のサーバから取得される、記入されるアイテム及び対応する情報コンテンツに基づいてフォームを完成される。
【００９９】
Ｓ３１０にて、デスクトップコンピュータは、記入済み情報コンテンツ（複数可）が誤りであるまたは抜けていることをユーザが見出す場合、ユーザの命令に従って、記入済み情報コンテンツ（複数可）について、追加、削除、または再入力等の修正操作を実施する。
【０１００】
Ｓ３１１にて、デスクトップコンピュータは、記入されるアイテム及び対応する修正済み情報コンテンツを第２のサーバに提出して、第２のサーバが、Ｓ３１２にて、それらの分解及び記憶を実施し、サービス要件に従って、後続の登録処理を実施することを可能にする。
【０１０１】
図４に示すように、本開示は、図１に示す方法の実施形態に対応するフォーム記入端末の例示的な実施形態を更に提供する。この実施形態におけるフォーム記入端末は、第１の端末４００である。この実施形態における第１の端末４００は、１つまたは複数のプロセッサ４０２、入力／出力インタフェース４０４、ネットワークインタフェース４０６、及びメモリ４０８を含んでもよい。
【０１０２】
メモリ４０８は、揮発性メモリ、ランダムアクセスメモリ（ＲＡＭ）、及び／または不揮発性メモリ、例えば、読出し専用メモリ（ＲＯＭ）またはフラッシュＲＡＭ等のような或る形態のコンピュータ可読媒体を含んでもよい。メモリ４０８はコンピュータ可読媒体の例である。
【０１０３】
コンピュータ可読媒体は、任意の方法または技術を使用して情報の記憶を達成してもよい、永久タイプまたは非永久タイプ、取外し可能または取外し不能媒体を含んでもよい。情報は、コンピュータ可読コマンド、データ構造、プログラムモジュール、または他のデータを含んでもよい。コンピュータ記憶媒体の例は、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読出し専用メモリ（ＲＯＭ）、電子的消去可能プログラム可能読出し専用メモリ（ＥＥＰＲＯＭ）、クイックフラッシュメモリまたは他の内部記憶技術、コンパクトディスク読出し専用メモリ（ＣＤ−ＲＯＭ）、デジタル多用途ディスク（ＤＶＤ）または他の光学ストレージ、磁気カセットテープ、磁気ディスクストレージまたは他の磁気記憶デバイス、或は、コンピューティングデバイスによってアクセスされてもよい情報を記憶するために使用されてもよい任意の他の非伝送媒体を含むが、それに限定されない。本明細書で規定するように、コンピュータ可読媒体は、被変調データ信号及び搬送波等の一時的媒体を含まない。
【０１０４】
一実施形態において、メモリ４０８は、プログラムユニット４１０及びプログラムデータ４１２を含んでもよい。プログラムユニット４１０は、第１の採取ユニット４１４、第２の採取ユニット４１６、及び送信ユニット４１８を含んでもよい。
【０１０５】
第１の採取ユニット４１４は、入力されるフォームの運用ソース識別子及び第２の端末上でユーザによって記入されるアイテム（複数可）を、スキャン済みデジタルオブジェクト識別子から取得するように構成され、スキャン済みデジタルオブジェクト識別子は第２の端末によって生成されるデジタルオブジェクト識別子である。
【０１０６】
ユーザが第２の端末においてフォームに記入する必要があるとき、第２の端末は、第１の端末４００によってスキャンされるデジタルオブジェクト識別子を生成する。第１の端末４００は、単一ユーザだけに対応し、したがって、程度の高いプライバシーを有する。例えば、第１の端末は、モバイルフォンまたはＩＰＡＤ等のモバイル端末であってよい、または、ユーザのパーソナルコンピュータであってよい。第２の端末に制限は全く課されず、第２の端末は、一般に公共端末であってよい。
【０１０７】
デジタルオブジェクト識別子をスキャンするとき、第１の端末４００は、第２の端末のスクリーン上に表示されるデジタルオブジェクト識別子を直接スキャンしてもよい。第１の端末４００が容易に移動されない可能性があるシナリオにおいて、デジタルオブジェクト識別子は、同様に、第２の端末によって印刷されてもよく、印刷済みデジタルオブジェクト識別子は第１の端末４００によってスキャンされる。
【０１０８】
第２の端末においてユーザによって記入されるフォームの運用ソース識別子は、そのときに記入される必要があるフォームを識別してもよく、また、記入されるフォームは、記入されるアイテム（複数可）が属するフォームを指す。運用ソース識別子は、フォームに基づいて生成されてもよく、そのフォームは、この場合、複数のユーザが同時に複数のフォームに記入することを可能にしてもよい。運用ソース識別子は、代替的に、固定識別子であり、固定識別子は、この場合、特定のシナリオの要件（例えば、デジタルオブジェクト識別子が印刷された後に、デジタルオブジェクト識別子内の運用ソース識別子は、一般に、常に利用可能である状態にある必要がある）を満たしてもよい。
【０１０９】
記入されるアイテム（複数可）は、或るサービスを獲得するため、第２の端末の記入されるフォームにユーザが記入する必要がある情報アイテム（複数可）を指す。例えば、ユーザが第２の端末を通してユーザ登録を実施したいと思うとき、ユーザは、ユーザ名、生年月日、年齢、アドレス、モバイルフォン番号、及びヘッドショット等のような情報アイテムを第２の端末のフォームに記入する必要がある。
【０１１０】
第１の採取ユニット４１４は、デジタルオブジェクト識別子をデコードすることによってデジタルオブジェクト識別子に含まれる情報を取得してもよい。第１の端末４００のデコーディング方法は、デジタルオブジェクト識別子を生成するための第２の端末のエンコーディング方法に対応する。例えば、第２の端末が、迅速応答（ＱＲ）エンコーディングルールに従ってデジタルオブジェクト識別子を生成する場合、第１の端末４００は、ＱＲデコーディングルールに従ってデコーディングを実施してもよい。
【０１１１】
第２の採取ユニット４１６は、記入されるアイテム（複数可）に対応する情報コンテンツ（複数可）を、情報アイテム（複数可）と情報コンテンツ（複数可）との間の予め記憶された対応関係から及び／または第１の端末４００の付属デバイスを通して取得するように構成される。
【０１１２】
本開示の一実施形態において、第２の採取ユニット４１６は、記入されるアイテム（複数可）に対応する情報コンテンツ（複数可）を取得する少なくとも２つのモードを有する。
【０１１３】
第１の採取アプローチにおいて、第１の端末４００は、情報アイテム（複数可）と情報コンテンツ（複数可）との間の対応関係（例えば、表１に示す）を予め記憶し、第１の採取ユニット４１６は、記入されるアイテム（複数可）に対応する情報コンテンツ（複数可）を、記憶された対応関係から採取する。
【０１１４】
第２の採取アプローチにおいて、第２の採取ユニット４１６は、第１の端末４００の付属デバイスによって、記入されるアイテム（複数可）に対応する情報コンテンツ（複数可）をリアルタイムに取得する。付属デバイスは、ＧＰＳデバイス、ＳＩＭカード、レコーダ、ジャイロスコープ、及びカメラの少なくとも１つを含んでもよい。
【０１１５】
記入されるアイテム（複数可）をデジタルオブジェクト識別子から取得した後、記入される各アイテムに対応する各情報コンテンツについて、第１の採取アプローチが使用されるか、第２の採取アプローチが使用されるかは、プリセット済み採取モードに従って決定されてもよい。更に、表２に示す期間等の対応する有効期間は、各情報アイテムに対応する各情報コンテンツについてセットされてもよい。一部の情報アイテムに対応する一部の情報コンテンツが、同様に、他の情報アイテム（複数可）に対応する各情報コンテンツ（複数可）に基づいて計算され取得されてもよいことが留意されるべきである。例えば、情報アイテム「年齢」に対応する各情報コンテンツは、情報アイテム「生年月日」に対応する情報コンテンツに基づいて計算され取得されてもよい。
【０１１６】
送信ユニット４１８は、記入されるアイテム（複数可）に対応する情報コンテンツ（複数可）及び運用ソース識別子を第１のサーバに相応して送信して、第２の端末が、フォーム記入を実施するため、運用ソース識別子に基づいて、記入されるアイテム（複数可）に対応する情報コンテンツ（複数可）を第１のサーバから取得することを可能にする。
【０１１７】
第１の端末４００が、対応する情報コンテンツ（複数可）及び運用ソース識別子を第１のサーバに送信した後、第１のサーバは、それを一時的に記憶してもよい。デジタルオブジェクト識別子を生成した後、第２の端末は、第１のサーバに記憶された先の情報が採取されるまで、第１のサーバが先の情報を記憶したかどうかを周期的に採取しようと試みてもよい。第２の端末がその情報を採取した後、第１のサーバは、情報漏洩を回避するためその情報を削除してもよい。
【０１１８】
本開示の一実施形態において、第２の端末は、最後に、フォームに記入するため、記入されるアイテム（複数可）に対応する情報コンテンツ（複数可）を採取し、第２のサーバに送信して、後続の操作を実施してもよい。本開示の実施形態において述べる後続の操作が、アイデンティティ認証、ログイン、登録等のような認証操作及びサービス獲得操作（例えば、アドレス情報に基づいて生活サービスを獲得すること）を主に含むことが本明細書で留意される。
【０１１９】
フォームに情報を記入するとき、各情報アイテムは、一般に、或る制限、例えば、文字タイプ、長さ等のようなフォーマット制限またはアイテムが強制的であるかどうかを有し、第２の端末は、生成されるデジタルオブジェクト識別子が、記入されるアイテム（複数可）の各情報属性（複数可）を含むことを更に可能にしてもよい。情報属性は、各情報アイテムに対する制限を示す。一実施形態において、採取ユニット４１４は、デジタルオブジェクト識別子から、記入されるアイテム（複数可）の各情報属性（複数可）を取得するように更に構成されてもよい。一実施形態において、第１の端末４００は、適合ユニット４２０を更に含んでもよい。適合ユニット４２０は、記入されるアイテム（複数可）に対応する情報コンテンツ（複数可）が、記入されるアイテム（複数可）の各情報属性（複数可）に適合するかどうかを判定し、適合しない場合、自動フォーマット調整を実施するかまたは手動修正を行うようユーザに促し、情報コンテンツ（複数可）が各情報属性（複数可）に適合するまで、記入されるアイテム（複数可）に対応する情報コンテンツ（複数可）及び運用ソース識別子を第１のサーバに送信するよう送信ユニット４１８に通知するように構成される。情報コンテンツ（複数可）が各情報属性（複数可）に適合するかどうかを判定するとき、各情報属性（複数可）は、ブール表現（複数可）として分解されてもよく、情報コンテンツ（複数可）は、計算のためにブール表現内に置かれる。計算結果がネガティブである場合、これは不適合を示す。
【０１２０】
本開示の一実施形態において、送信ユニット４１８が情報コンテンツ（複数可）を第１のサーバに送信する前に、情報コンテンツ（複数可）は、第１の端末４００内で前もって表示されてもよい。第１の端末４００は、第１の修正ユニット４２２を更に含んでもよい。ユーザは、送信される情報コンテンツ（複数可）が、誤りであるか、抜けているかをチェックしてもよい。誤りであるまたは抜けている場合、第１の修正ユニット４２２は、記入されるアイテム（複数可）に対応する情報コンテンツ（複数可）を、ユーザの命令に従って更に修正してもよく、送信ユニット４１８は修正済みコンテンツを第１のサーバに送信する。
【０１２１】
この実施形態の第１のサーバは、認証及びサービス獲得に関連する後続の操作を実施するために使用されなくてもよく、また、フォーム記入のためにセットアップされた専用サーバであってよい。送信ユニット４１８は、情報コンテンツ（複数可）を送信するとき、記入される対応するアイテム（複数可）を第１のサーバに送信して、第２の端末が、記入されるアイテム（複数可）に対応する情報コンテンツ（複数可）をフォームに正確に記入することを可能にしてもよい。代替的に、送信ユニット４１８は、第２の端末と前もって合意した記入ルールに従って、情報コンテンツ（複数可）を第１のサーバに送信してもよい。例えば、第１の端末４００及び第２の端末は、アイテムが記入される順序で、対応する情報コンテンツが送信されることに前もって合意してもよい。
【０１２２】
図５に示すように、本開示は、図２に示す方法の実施形態に対応するフォーム記入端末の例示的な実施形態を更に提供する。この実施形態におけるフォーム記入端末は、第２の端末５００である。一実施形態において、第２の端末５００は、１つまたは複数のプロセッサ５０２、入力／出力インタフェース５０４、ネットワークインタフェース５０６、及びメモリ５０８を含んでもよい。メモリ５０８は、揮発性メモリ、ランダムアクセスメモリ（ＲＡＭ）、及び／または不揮発性メモリ、例えば、読出し専用メモリ（ＲＯＭ）またはフラッシュＲＡＭ等のような或る形態のコンピュータ可読媒体を含んでもよい。メモリ５０８は、先の説明において述べたコンピュータ可読媒体の例である。
【０１２３】
一実施形態において、メモリ５０８は、プログラムユニット５１０及びプログラムデータ５１２を含んでもよい。プログラムユニット５１０は、生成ユニット５１４及び記入ユニット５１６を含んでもよい。
【０１２４】
生成ユニット５１４は、記入されるフォームの運用ソース識別子及び第２の端末上でユーザによって記入されるアイテム（複数可）を含むデジタルオブジェクト識別子を生成して、第１の端末が、デジタルオブジェクト識別子をスキャンし、情報アイテム（複数可）と情報コンテンツ（複数可）との間の予め記憶された対応関係から、及び／または、第１の端末の付属デバイスを通して、記入されるアイテム（複数可）に対応する情報コンテンツ（複数可）を取得し、記入されるアイテム（複数可）に対応する情報コンテンツ（複数可）及び運用ソース識別子を第１のサーバに相応して送信することを可能にする。
【０１２５】
ユーザが第２の端末５００上でフォームに記入する必要があるとき、第２の端末５００は、第１の端末によってスキャンされるデジタルオブジェクト識別子を生成する。デジタルオブジェクト識別子は、第２の端末５００のディスプレイスクリーンにおいて表示され、第１の端末によってスキャンされてもよい。代替的に、デジタルオブジェクト識別子は第２の端末５００によって印刷出力されてもよく、また、印刷済みデジタルオブジェクト識別子は第１の端末によってスキャンされる。
【０１２６】
第２の端末５００上でユーザによって記入されるフォームの運用ソース識別子は、そのとき記入されるフォームを識別してもよい。記入されるフォームは、記入されるアイテム（複数可）が属するフォームを指す。運用ソース識別子は、フォームに基づいて生成されてもよく、そのフォームは、この場合、複数のユーザが複数のフォームを同時に記入することを可能にする可能性がある。運用ソース識別子は、代替的に、固定識別子であってよく、固定識別子は、この場合、特定のシナリオの要件（例えば、デジタルオブジェクト識別子が印刷された後に、デジタルオブジェクト識別子内の運用ソース識別子は、一般に、常に利用可能である必要がある）を満たす可能性がある。
【０１２７】
入力されるアイテムは、或るサービスを獲得するため、第２の端末５００の記入されるフォームにユーザが記入する必要がある情報アイテムを指す。例えば、ユーザが第２の端末５００を通してユーザ登録を実施したいと思うとき、ユーザは、ユーザ名、生年月日、年齢、アドレス、モバイルフォン番号、及びヘッドショット等のような情報アイテムを第２の端末５００のフォームに記入する必要がある。
【０１２８】
記入ユニット５１６は、フォーム記入を実施するため、運用ソース識別子に基づいて、記入されるアイテム（複数可）に対応する情報コンテンツ（複数可）を第１のサーバから取得するように構成される。第１のサーバは、フォーム情報を記入するように構成される専用サーバであってよい。
【０１２９】
運用ソース識別子に基づいて、アイテム（複数可）に対応する情報コンテンツ（複数可）を第１のサーバから記入ユニット５１６によって取得することは、記入されるアイテム（複数可）に対応する情報コンテンツ（複数可）が採取されるまで、運用ソース識別子に基づいて、記入されるアイテム（複数可）に対応する情報コンテンツ（複数可）を第１のサーバから記入ユニット５１６によって取得する試みを周期的に実施することを指す。
【０１３０】
本開示の一実施形態において、記入ユニット５１６は、最後に、フォームに記入するため、記入されるアイテム（複数可）に対応する情報コンテンツ（複数可）を採取してもよい。第２の端末５００は、提出ユニット５１８を更に含んでもよい。提出ユニット５１８は、記入ユニット５１６がフォームに記入した後に記入されるアイテム（複数可）に対応する情報コンテンツ（複数可）を第２のサーバに提出するように構成されるため、第２のサーバは、認証操作またはサービス獲得等の後続の操作を実施する。
【０１３１】
提出ユニット５１８が、記入されるアイテム（複数可）に対応する情報コンテンツ（複数可）を第２のサーバに提出する前に、情報コンテンツは、同様に、第２の端末上に表示されてもよい。ユーザは、記入済み情報コンテンツ（複数可）が、誤りであるか、抜けているかをチェックする。誤りであるまたは抜けている場合、第２の修正ユニット５２０は、ユーザの命令に従って、記入されるアイテム（複数可）に対応する情報コンテンツ（複数可）を修正し、修正済み情報コンテンツを第２のサーバに提出してもよい。この場合、第２の端末５００は、第２の修正ユニット５２０を更に含む。
【０１３２】
この実施形態は、図４に示す端末の実施形態に対応し、したがって、比較的単純な方法で述べられる。図４に示す実施形態の関連する部分に対して参照が行われる場合がある。
【０１３３】
先のシステム、装置、及びユニットの詳細な作業プロセスが、先の方法の実施形態の対応するプロセスを参照してもよく、また、説明の都合及び容易さのために本明細書で繰返し述べられないことを当業者は明確に理解する可能性がある。
【０１３４】
本開示によって提供される実施形態において、開示されるシステム、装置、及び方法が他の方法で実装されてもよいことが理解されるべきである。例えば、述べた装置の実施形態は例示に過ぎない。例えば、ユニットの分割は、論理機能の分割に過ぎず、他の分割方法が、実際の実施態様において存在する。例えば、複数のユニットまたは構成要素が、組合されるかまたは統合されて、別のシステムになってもよく、または、幾つかの特徴が無視されてもよくまたは実行されなくてもよい。更に、表示されるまたは論じられる、相互結合、直接結合、または通信接続は、幾つかのインタフェース、装置、またはユニットの間の関節結合または通信接続を通して実装されてもよく、また、電子的な、機械的な、または他の形態で実装されてもよい。
【０１３５】
別個の構成要素として述べられるユニットは、物理的に別個であってもよい、または、物理的に別個でなくてもよい。ユニットとして表示される構成要素は、物理的ユニットであってもよく、または、物理的ユニットでなくてもよく、また、単一位置に位置してもよく、または、複数のネットワークユニットの間で分配されてもよい。ユニットの一部または全ては、実際のニーズに従って選択されて、実施形態の解決策の目的を達成してもよい。
【０１３６】
更に、本開示の実施形態内の機能ユニットは、単一処理ユニットとして統合されてもよい。代替的に、ユニットのそれぞれは、物理的に独立しているものとして存在してもよい。代替的に、２つ以上のユニットが単一ユニットとして統合されてもよい。統合ユニットは、ハードウェアの形態で実装されてもよい、または、ソフトウェア機能ユニットの形態で実装されてもよい。
【０１３７】
統合ユニットは、ソフトウェア機能ユニットの形態で実装される、または、独立した製品として使用されるとき、コンピュータ可読記憶媒体に記憶されてもよい。この理解に基づくと、本開示の技術的解決策の特質、既存の技術に寄与する部分、或は技術的解決策の全てまたは一部は、ソフトウェア製品の形態で実装されてもよい。ソフトウェア製品は、記憶媒体に記憶され、本開示の実施形態において述べる方法の方法ブロックの全てまたは一部を、コンピューティングデバイス（パーソナルコンピュータ、サーバ、またはネットワークデバイス等であってよい）に実施させる命令を含む。記憶媒体は、ＵＳＢフラッシュドライブ、取外し可能ハードドライブ、読出し専用メモリ（ＲＯＭ）、ランダムアクセスメモリ（ＲＡＭ）、磁気ディスク、または光ディスク等のような、プログラムコードを記憶できる種々のタイプの媒体を含んでもよい。
【０１３８】
先の説明に基づくと、実施形態は、本開示の技術的解決策を述べるために使用されるだけであり、その技術的解決策に制限を全く課さない。本開示の詳細な説明が先の実施形態を参照して示されるが、先の実施形態において述べる技術的解決策に対して修正が依然として行われてもよいこと、または、その技術的特徴の一部について等価な置換が実施されてもよいことを当業者は理解すべきである。これらの修正及び置換は、対応する技術的解決策の特質を、本開示の実施形態の技術的解決策の精神及び範囲から逸脱させない。
【図１】
0006533282.tif 000004
【図２】
0006533282.tif 000005
【図３】
0006533282.tif 000006
【図４】
0006533282.tif 000007
【図５】
0006533282.tif 000008